(57)【要約】【課題】一度用紙パッケージから取り出された用紙の当該用紙パッケージへの挿入を防止すると共に、用紙が用紙パッケージから落下することのない用紙パッケージを提供すること。【解決手段】  用紙パッケージ９は、直方体形状に形成された薄型の箱形に折り曲げられたパッケージ材８から構成され、用紙侵入阻止部材である耳部７２は、底部４０と第一外装部５０に挟まれる空間に位置し、耳部７２の側端が用紙７の挿入方向の端部に当接して、用紙７の端部が側壁部に当接することができない。従って、用紙７を完全に用紙パッケージ９の元の収納位置に戻すことができず、用紙７の一部が用紙パッケージ９からはみ出した状態になる。従って、落下した用紙７は、開口部４９から用紙パッケージ９に戻すことができず、ゴミや埃が付着した用紙７が再使用されることを防止できる。【選択図】図２２
2008168947.tif 000002
【特許請求の範囲】
【請求項１】
印刷装置の被印刷媒体としての用紙と、積層された状態の前記用紙の外側を覆うパッケージ材とを有し、当該パッケージ材から用紙の一部を露出させた状態とする開口部を備え、用紙の一部を露出させた状態で当該パッケージ材とともに前記印刷装置にセット可能に構成された用紙パッケージであって、
前記パッケージ材は、
前記積層された用紙の積層方向一側の面を覆う矩形の第一部分と、
前記第一部分に対向して、前記積層された用紙の積層方向他側の面を覆う第二部分と、
前記第一部分及び前記第二部分に接続され用紙搬送方向に平行に前記積層された用紙の側面を覆う第三部分と、
前記第三部分に前記積層された用紙を挟んで対向し用紙搬送方向に平行に積層された用紙の側面を覆う第四部分と、
前記第一部分または前記第二部分に接続され用紙搬送方向上流側において前記積層された用紙の側面を覆う第五部分とを備え、
組み立て後の前記用紙パッケージ内には、前記開口部を介して排出された用紙が再び前記開口部から挿入されて、元の収納位置まで押し込まれることを妨げる用紙侵入阻止部材が設けられていることを特徴とする用紙パッケージ。
【請求項２】
前記第五部分に接続され、前記第五部分が前記第一部分に接続されている場合は前記第二部分に重なり合い、前記第五部分が前記第二部分に接続されている場合は前記第一部分に重なり合う第六部分を備え、
前記用紙侵入阻止部材は、前記第六部分に設けられ、前記開口部を介して排出された用紙が再び当該開口部を介して前記第五部分に当接することを妨げることを特徴とする請求項１に記載の用紙パッケージ。
【請求項３】
前記用紙侵入阻止部材は、前記第六部分において折り目を介して用紙搬送方向に直交する方向に延設された耳部であり、
前記耳部は、前記折り目においてパッケージ材の弾性によって弾性復帰することにより、前記第一部分と前記第二部分とに挟まれる空間、
または、前記第五部分が前記第一部分に接続されている場合には前記第二部分と前記積層された用紙との隙間、前記第五部分が前記第二部分に接続されている場合には前記第一部分と前記積層された用紙との隙間において、前記耳部の先端が前記第六部分から離れて位置し、
前記開口部を介して前記第五部分に当接するように挿入される用紙に対して、前記耳部の側端が当接することにより用紙が第五部分に当接することを妨げることを特徴とする請求項２に記載の用紙パッケージ。
【請求項４】
前記第五部分が前記第一部分に接続されている場合には第一部分と第五部分との折り目の内側に、前記第五部分が前記第二部分に接続されている場合には第二部分と第五部分との折り目の内側に、窪部が形成されていることを特徴とする請求項３に記載の用紙パッケージ。
【請求項５】
前記用紙侵入阻止部材は、前記第一部分に設けられ、前記開口部を介して排出された用紙が再び当該開口部を介して前記第五部分に当接することを妨げることを特徴とする請求項１に記載の用紙パッケージ。
【請求項６】
前記用紙侵入阻止部材は、前記第一部分に設けられ、前記第一部分において折り目を介して用紙搬送方向に直交する方向に延設された耳部であり、
前記耳部は、前記折り目においてパッケージ材の弾性によって弾性復帰することにより、前記第一部分と第二部分とに挟まれる空間、または、前記第一部分と前記積層された用紙との隙間において、前記耳部の先端が前記第一部分から離れて位置し、
前記開口部を介して前記第五部分に当接するように挿入される用紙に対して、前記耳部の側端が当接することにより用紙が第五部分に当接することを妨げることを特徴とする請求項１に記載の用紙パッケージ。
【請求項７】
前記第二部分と前記第三部分との折り目の内側、前記第四部分が前記第二部分に接続されている場合には前記第二部分と前記第四部分との折り目の内側、及び、前記第五部分が前記第二部分に接続されている場合には第二部分と第五部分との折り目の内側には、各々窪部が形成されていることを特徴とする請求項６に記載の用紙パッケージ。
【請求項８】
前記各窪部は、ミシン目、ハーフカット又は、ピット状の窪みの何れかで形成されていることを特徴とする請求項４または請求項７に記載の用紙パッケージ。
【発明の詳細な説明】
【技術分野】
【０００１】
本発明は、用紙パッケージに関し、詳細には、重ねられた状態の用紙の外側をパッケージ材で保護するとともに、該パッケージ材とともに印刷装置にセット可能な用紙パッケージに関するものである。
【背景技術】
【０００２】
従来から、箱形状のパッケージ材の中に、積層された状態の用紙を収納し、当該用紙を印刷に使用するときには、パッケージ材の蓋部を開封して、反対側に折り返して、該パッケージ材とともに印刷装置にセット可能な用紙パッケージが知られている（例えば、特許文献１参照。）。この用紙パッケージでは、複数枚の用紙をパッケージ単位でまとめて取り扱うことができるため使い勝手が向上されるとともに、内部の用紙を覆って保護できるため、特に光や熱に弱い感熱紙を用紙として採用する場合に有用であった。
【特許文献１】特開２００３−２８５９３９号公報
【発明の開示】
【発明が解決しようとする課題】
【０００３】
しかしながら、従来の用紙パッケージでは、使用時に蓋部を開封して用紙の一部が露出した状態にした場合に、用紙パッケージの内部に収容された用紙が用紙パッケージから落下してしまう場合があった。この場合に、落下した用紙にはゴミや埃が付着していることが多々ある。一方、落下した用紙を開口部から再度用紙パッケージに挿入して戻すことは容易であったために、落下した用紙が挿入された用紙パッケージを印刷装置にセットして印刷を行うと、用紙に付着したゴミ、埃等が邪魔をしてゴミ、埃等が付着した部分には印刷が行われず、その結果、印刷抜けが発生し、印字品質を低下させるおそれがあった。
【０００４】
また、従来の用紙パッケージでは、内部に収納された用紙を押圧する手段がないので、用紙パッケージの取扱中に、用紙パッケージの開口部を下方に向けると、用紙が落下するおそれがあった。
【０００５】
本発明は、上記課題を解決するためになされたものであり、一度用紙パッケージから取り出された用紙の当該用紙パッケージ内での元の収納位置への挿入を防止することを第一の目的とし、用紙が用紙パッケージから落下することのない用紙パッケージを実現することを第二の目的とする。
【課題を解決するための手段】
【０００６】
上記課題を解決するため、請求項１に係る発明の用紙パッケージでは、印刷装置の被印刷媒体としての用紙と、積層された状態の前記用紙の外側を覆うパッケージ材とを有し、当該パッケージ材から用紙の一部を露出させた状態とする開口部を備え、用紙の一部を露出させた状態で当該パッケージ材とともに前記印刷装置にセット可能に構成された用紙パッケージであって、前記パッケージ材は、前記積層された用紙の積層方向一側の面を覆う矩形の第一部分と、前記第一部分に対向して、前記積層された用紙の積層方向他側の面を覆う第二部分と、前記第一部分及び前記第二部分に接続され用紙搬送方向に平行に前記積層された用紙の側面を覆う第三部分と、前記第三部分に前記積層された用紙を挟んで対向し用紙搬送方向に平行に積層された用紙の側面を覆う第四部分と、前記第一部分または前記第二部分に接続され用紙搬送方向上流側において前記積層された用紙の側面を覆う第五部分とを備え、組み立て後の前記用紙パッケージ内には、前記開口部を介して排出された用紙が再び前記開口部から挿入されて、元の収納位置まで押し込まれることを妨げる用紙侵入阻止部材が設けられていることを特徴とする。
【０００７】
また、請求項２に係る発明の用紙パッケージでは、請求項１に記載の発明の構成に加えて、前記第五部分に接続され、前記第五部分が前記第一部分に接続されている場合は前記第二部分に重なり合い、前記第五部分が前記第二部分に接続されている場合は前記第一部分に重なり合う第六部分を備え、前記用紙侵入阻止部材は、前記第六部分に設けられ、前記開口部を介して排出された用紙が再び当該開口部を介して前記第五部分に当接することを妨げることを特徴とする。
【０００８】
また、請求項３に係る発明の用紙パッケージでは、請求項２に記載の発明の構成に加えて、前記用紙侵入阻止部材は、前記第六部分において折り目を介して用紙搬送方向に直交する方向に延設された耳部であり、前記耳部は、前記折り目においてパッケージ材の弾性によって弾性復帰することにより、前記第一部分と前記第二部分とに挟まれる空間、または、前記第五部分が前記第一部分に接続されている場合には前記第二部分と前記積層された用紙との隙間、前記第五部分が前記第二部分に接続されている場合には前記第一部分と前記積層された用紙との隙間において、前記耳部の先端が前記第六部分から離れて位置し、前記開口部を介して前記第五部分に当接するように挿入される用紙に対して、前記耳部の側端が当接することにより用紙が第五部分に当接することを妨げることを特徴とする。
【０００９】
また、請求項４に係る発明の用紙パッケージでは、請求項３に記載の発明の構成に加えて、前記第五部分が前記第一部分に接続されている場合には第一部分と第五部分との折り目の内側に、前記第五部分が前記第二部分に接続されている場合には第二部分と第五部分との折り目の内側に、窪部が形成されていることを特徴とする。
【００１０】
また、請求項５に係る発明の用紙パッケージでは、請求項１に記載の発明の構成に加えて、前記用紙侵入阻止部材は、前記第一部分に設けられ、前記開口部を介して排出された用紙が再び当該開口部を介して前記第五部分に当接することを妨げることを特徴とする。
【００１１】
また、請求項６に係る発明の用紙パッケージでは、請求項１に記載の発明の構成に加えて、前記用紙侵入阻止部材は、前記第一部分に設けられ、前記第一部分において折り目を介して用紙搬送方向に直交する方向に延設された耳部であり、前記耳部は、前記折り目においてパッケージ材の弾性によって弾性復帰することにより、前記第一部分と前記第二部分とに挟まれる空間、または、前記第一部分と前記積層された用紙との隙間において、前記耳部の先端が前記第一部分から離れて位置し、前記開口部を介して前記第五部分に当接するように挿入される用紙に対して、前記耳部の側端が当接することにより用紙が第五部分に当接することを妨げることを特徴とする。
【００１２】
また、請求項７に係る発明の用紙パッケージでは、請求項６に記載の発明の構成に加えて、前記第二部分と前記第三部分との折り目の内側、前記第四部分が前記第二部分に接続されている場合には前記第二部分と前記第四部分との折り目の内側、及び、前記第五部分が前記第二部分に接続されている場合には第二部分と第五部分との折り目の内側には、各々窪部が形成されていることを特徴とする。
【００１３】
また、請求項８に係る発明の用紙パッケージでは、請求項４または請求項７に記載の発明の構成に加えて、前記各窪部は、ミシン目、ハーフカット又は、ピット状の窪みの何れかで形成されていることを特徴とする。
【発明の効果】
【００１４】
請求項１に係る発明の用紙パッケージでは、組み立て後の用紙パッケージ内には、開口部を介して排出された用紙が再び開口部から挿入されて、元の収納位置まで押し込まれることを妨げる用紙侵入阻止部材が設けられているので、一度用紙パッケージから取り出された用紙が、当該用紙パッケージ内の元の収納位置まで挿入されることを防止できる。
【００１５】
また、請求項２に係る発明の用紙パッケージでは、請求項１に記載の発明の効果に加えて、用紙侵入阻止部材は、第六部分に設けられており、開口部を介して排出された用紙が再び当該開口部を介して第五部分に当接することを防止して、前記開口部を介して排出された用紙が再び開口部から挿入されて、元の収納位置まで押し込まれることを妨げることができる。
【００１６】
また、請求項３に係る発明の用紙パッケージでは、請求項２に記載の発明の効果に加えて、第一部分と第二部分とに挟まれる空間、または、前記第五部分が前記第一部分に接続されている場合には第二部分と積層された用紙との隙間、前記第五部分が前記第二部分に接続されている場合には前記第一部分と前記積層された用紙との隙間において、用紙侵入阻止部材としての耳部の先端が第六部分から離れて位置するので、開口部を介して第五部分に当接するように挿入される用紙に対して、耳部の側端が当接することにより用紙が第五部分に当接することを妨げて、前記開口部を介して排出された用紙が再び前記開口部から挿入されて、元の収納位置まで押し込まれることを妨げることができる。また、第六部分から用紙搬送方向に直交する方向に折り返された耳部が用紙パッケージに収納された用紙の表面を押圧するので、用紙が用紙パッケージから落下することを防止できる。
【００１７】
また、請求項４に係る発明の用紙パッケージでは、請求項３に記載の発明の効果に加えて、前記第五部分が前記第一部分に接続されている場合には第一部分と第五部分との折り目の内側に、前記第五部分が前記第二部分に接続されている場合には第二部分と第五部分との折り目の内側に、窪部が形成されている。そのため、前記第五部分が前記第一部分に接続されている場合には第一部分に対して第五部分を折り曲げても、境界が折り曲げ易いようにパッケージ材の外側表面から内側表面に向かって境界に沿って型押しをする折り目加工されているものに対して、折り曲げたときに折り目の内側に形成される盛り上がった部分と第一部分との狭い隙間に用紙が挟まれて、挟まれた用紙が印刷装置によっては取り出せないで残ってしまうことがない。また、前記第五部分が前記第二部分に接続されている場合には第二部分に対して第五部分を折り曲げても、境界が折り曲げ易いようにパッケージ材の外側表面から内側表面に向かって境界に沿って型押しをする折り目加工されているものに対して、折り曲げたときに折り目の内側に形成される盛り上がった部分と第二部分との狭い隙間に用紙が挟まれて、挟まれた用紙が印刷装置によっては取り出せないで残ってしまうことがない。
【００１８】
また、請求項５に係る発明の用紙パッケージでは、請求項１に記載の発明の効果に加えて、用紙侵入阻止部材は、第一部分に設けられているので、開口部を介して排出された用紙が再び当該開口部を介して第五部分に当接することを妨げることができる。
【００１９】
また、請求項６に係る発明の用紙パッケージでは、請求項１に記載の発明の効果に加えて、用紙侵入阻止部材は、第一部分において折り目を介して用紙搬送方向に直交する方向に延設された耳部であるので、当該耳部がパッケージ材の弾性によって弾性復帰することにより、第一部分と第二部分とに挟まれる空間、または、第一部分と積層された用紙との隙間において、耳部の先端が第一部分から離れて位置し、開口部を介して第五部分に当接するように挿入される用紙に対して、耳部の側端が当接することにより用紙が第五部分に当接することを妨げることができる。また、第一部分に設けられた耳部が用紙パッケージに収納された用紙の表面を押圧するので、用紙が用紙パッケージから落下することを防止できる。
【００２０】
また、請求項７に係る発明の用紙パッケージでは、請求項６に記載の発明の効果に加えて、前記第二部分と前記第三部分との折り目の内側、前記第四部分が前記第二部分に接続されている場合には前記第二部分と前記第四部分との折り目の内側、及び、前記第五部分が前記第二部分に接続されている場合には第二部分と第五部分との折り目の内側には、各々窪部が形成されている。そのため、第二部分に対して第三部分を折り曲げても、また、前記第四部分が前記第二部分に接続されている場合には第二部分に対して第四部分を折り曲げても、また、前記第五部分が前記第二部分に接続されている場合には第二部分に対して第五部分を折り曲げても、境界が折り曲げ易いようにパッケージ材の外側表面から内側表面に向かって境界に沿って型押しをする折り目加工されているものに対して、折り曲げたときに折り目の内側に形成される盛り上がった部分と第二部分との狭い隙間に用紙が挟まれて、挟まれた用紙が印刷装置によっては取り出せないで残ってしまうことがない。
【００２１】
また、請求項８に係る発明の用紙パッケージでは、請求項４または請求項７に記載の発明の構成に加えて、前記各窪部は、ミシン目、ハーフカット又は、ピット状の窪みの何れかで形成されているので、容易に窪み加工を行うことができる。
【発明を実施するための最良の形態】
【００２２】
以下、本発明の第一の実施の形態である用紙パッケージ９が装着される印刷装置１の構造を、図１乃至図４を参照して説明する。図１は印刷装置１の斜視図であり、図２は図１に示すＡ−Ａ線における印刷装置１の矢視方向断面図である。また、図３は、印刷装置１の用紙収容部６に用紙パッケージ９をセットした状態を示した図であり、図４は、用紙分離部１１および印刷機構部１４の詳細を示した拡大断面図である。
【００２３】
図１に示すように、印刷装置１は平面視、長方形状（Ａ６サイズよりやや大きい程度の大きさ）で、厚みが略２ｃｍ程度の平板状の直方体形状に形成されている。また、印刷装置１の筐体を構成する本体ケース２は、印刷装置１のフレームを構成する平面視、長方形の枠体３と、当該枠体３の下面を覆う、平面視、長方形状の下カバー４と、当該枠体３の上面の一部を覆う上カバー５と、開閉可能な蓋体１０等から構成されている。
【００２４】
図２及び図３に示すように、印刷装置１の一端部側（図２及び図３における上側）の内部に、印刷機構部１４が内蔵され、その上面を覆うように、平面視、長方形の上カバー５が設けられている。また、上カバー５で覆われた箇所を除いた枠体３の上面の残りの部分には、用紙収容部６が形成され、当該用紙収容部６の上方は平面視、長方形の蓋体１０にて覆われ、図２に示すように、この蓋体１０は開閉自在となっている。
【００２５】
また、この用紙収容部６には、図３に示すように、一例として、Ａ６やＡ７サイズのカットシート状の感熱紙からなる用紙７をパッケージ材８の内部に複数枚収納した用紙パッケージ９が収容可能となっている。さらに、本体ケース２側には図示しないロック機構が設けられており、用紙収容部６に用紙パッケージ９をセットした状態で、図３に示すように蓋体１０を閉じてロックできるようになっている。
【００２６】
尚、用紙収容部６の印刷機構部１４側の端部には、用紙分離部１１としてのピックアップローラ１２および分離ブロック１３等が配置されている。また、上カバー５の下方には、印刷機構部１４としてのサーマルヘッド１５、プラテンローラ１６、ペーパーガイド１７が配置されている。
【００２７】
次に、用紙分離部１１を図４を参照して説明する。図４に示すように、用紙収容部６の印刷機構部１４に近い側の端部には、ピックアップローラ１２と分離ブロック１３とが設けられている。また、蓋体１０の用紙収容部６側を向く内面には、押圧板１８が回動自在に支持されている。この押圧板１８と蓋体１０との間にはコイル状の付勢バネ１９が介在され、押圧板１８に対し、該押圧板１８を下方へ回動させる向きの付勢力を常時作用させている。
【００２８】
尚、用紙パッケージ９は、印字面を下側へ向けながら積層された状態で内部に収納されている用紙７のうち、最も下側に位置する用紙７の下面をパッケージ材８から一部露出させた状態で、用紙収容部６に装着される。そして、前記蓋体１０を閉じてロックした際には、付勢バネ１９により下方へ付勢される押圧板１８が、パッケージ材８を介して、用紙７の露出した部分をピックアップローラ１２側へ押し付け、該用紙７の下面を該ピックアップローラ１２に接触させるようになっている。
【００２９】
また、図４に示すように、ピックアップローラ１２に近接かつ対向するように用紙分離部１１を構成する分離ブロック１３が設けられているが、この分離ブロック１３は、ピックアップローラ１２の用紙送り出し方向に対して傾斜した分離案内面１３ａを備えている。この構成の用紙分離部１１では、ピックアップローラ１２が回転駆動することにより、該ピックアップローラ１２に接触する最下層の用紙７に摩擦搬送力が加えられる。そして、分離ブロック１３の分離案内面１３ａの分離作用とあいまって、最下層に位置する一枚の用紙７のみが分離されて送り出される。
【００３０】
次に、印刷機構部１４について説明する。図４に示すように、ピックアップローラ１２に対して、分離ブロック１３を挟んだ反対側にはプラテンローラ１６が図示外のモータにより回転可能に設けられ、その外周面に近接してペーパーガイド１７が配置されている。このペーパーガイド１７には、円柱状のプラテンローラ１６の外周面に沿うように、断面が横向き略「Ｕ」字状となる凹湾曲状の摺接面１７ａが形成されている。このペーパーガイド１７と本体ケース２との間には押圧コイルバネ２０が設けられており、摺接面１７ａをプラテンローラ１６の外周面に向けて付勢するようになっている。
【００３１】
また、この構成の印刷装置１においては、前述の用紙分離部１１で分離された用紙７は、ピックアップローラ１２により搬送されて、分離ブロック１３の下端と、用紙の向きをプラテンローラ１６側へ向けるためのガイド板２１の間を通過するようになっている。そして、用紙７はこのガイド板２１により案内され、プラテンローラ１６の下面側から、該プラテンローラ１６とペーパーガイド１７との間に送られる。そして用紙７は、プラテンローラ１６の外周面とペーパーガイド１７の摺接面１７ａとの間で保持されつつ、プラテンローラ１６の回転駆動により横向きＵ字状に反転されながら搬送され、印字面を上側に向けながらプラテンローラ１６の上面側に至る。
【００３２】
図４に示すように、プラテンローラ１６の上面側に位置するサーマルヘッド１５は、印字部たる発熱体部１５ａを有している。該サーマルヘッド１５は回動軸１５ｂまわりに回動可能に設けられて、発熱体部１５ａがプラテンローラ１６の上面に接離可能に構成されている。尚、このようにサーマルヘッド１５を回動自在に構成したのは、プラテンローラ１６とペーパーガイド１７との間で用紙７が詰まった場合におけるジャム紙除去作業において、サーマルヘッド１５が作業の邪魔にならないようにするためである。
【００３３】
また、図４に示すように、サーマルヘッド１５には捩りコイルバネタイプのスプリング２２の一端が係止されて、該サーマルヘッド１５の発熱体部１５ａがプラテンローラ１６上面に近接する方向の付勢力を常時加えている。この構成で、前述のように印字面を上側に向けながらプラテンローラ１６により送られてくる用紙７の上面にサーマルヘッド１５の発熱体部１５ａが接触し、この接触する箇所において用紙７に印字がなされる。
【００３４】
サーマルヘッド１５はラインヘッド型とされ、搬送されてくる感熱型の用紙７に対し、該用紙７の搬送方向に直交する方向に延びるライン毎に、任意の文字や画像を印刷することができる。一本のラインにつき印刷する際の印刷幅は、印刷対象の用紙７の幅に略等しく設定されている。このようにサーマルヘッド１５を印刷ヘッドとして用いるのは、被記録媒体として感熱紙を用いることで、インクやインクリボンなどの消耗品が不要とできるほか、インクの供給のための機構などを省略でき、印刷装置１をコンパクトに構成できるからである。感熱紙としては、サーマルヘッド１５の加熱により発色する発色層を有する感熱発色タイプのものや、加熱により穿孔される穿孔層を基材層上に積層した感熱穿孔タイプのもの等、種々のものを使用可能である。
【００３５】
また、前記分離ブロック１３には、プラテンローラ１６の用紙送り出し方向に対して傾斜した排紙ガイド面１３ｂが形成されている。この構成において、サーマルヘッド１５の発熱体部１５ａにより印字がなされた後の用紙７は、この排紙ガイド面１３ｂにより案内されて、図１に示すように、本体ケース２の上カバー５と前記蓋体１０とがなす隙間から、蓋体１０の上側へ排紙される。
【００３６】
次に、印刷装置１にセットされる本発明の第一の実施の形態である用紙パッケージ９について、図５乃至図１４を参照して詳細に説明する。図５は用紙パッケージ９の斜視図であり、図６は蓋部を裏側に折り返した状態の用紙パッケージ９の斜視図であり、図７は用紙パッケージ９の底面図である。また、図８はパッケージ材８の外側から見た展開図であり、図９は、パッケージ材８の内側から見た展開状態の斜視図である。また、図１０〜図１４は、用紙パッケージ９を製造する工程を示す斜視図である。
【００３７】
図５に示すように、用紙パッケージ９は、直方体形状に形成された薄型の箱形に折り曲げられたパッケージ材８から構成されている。この用紙パッケージ９内には、一例として、Ａ６〜Ａ７サイズ程度の小サイズのカットシート状の感熱紙からなる用紙（被記録媒体）７が複数枚積層されて収納されている。使用者は、図５に示す箱形の状態で販売されている用紙パッケージ９を購入し、図６及び図７に示すように、蓋部４４を開けて裏側に折り返して、後述する底部４０の第三スリット４５に蓋部４４の差込部４４ｄを差し込んで内部の用紙７を露出させてから、印刷装置１の用紙収容部６にパッケージ材８とともにセットして使用する。
【００３８】
次に、図８及び図９を参照して、パッケージ材８の構造を説明する。図８は、パッケージ材８の外側から見た場合の展開図を示しており、図９は、パッケージ材８の内側、即ち、図８に示すパッケージ材８の裏面から見た状態の斜視図を示している。図８及び図９に示すように、パッケージ材８は、平板状の厚紙材を打ち抜いて形成されており、その中央部に、積層された用紙７の積層方向の一方の面を覆う矩形の第一部分としての底部４０が設けられている。そして、底部４０の一対の側端部の一方から矩形の第三部分としての側壁部４１が延設され、他方の側端部から矩形の第四部分としての側壁部４２が延設され、底部４０の後端部から矩形の第五部分としての側壁部４３が延設されている。この側壁部４３は、用紙パッケージ９組み立て時に、用紙７の下端部を受けるようになっている。前記側壁部４１乃至４３の高さ（短手方向の幅）は、全て同じとなっており、用紙パッケージ９内に収納される用紙７の積層高よりも高くなっている。
【００３９】
また、図８及び図９に示すように、底部４０の前端側には、蓋部４４が延設されており、この蓋部４４は、矩形の蓋基部４４ａと、当該蓋基部４４ａから延設され、前記側壁部４１乃至４３の高さと同じ高さ（短手方向の幅）の矩形の蓋側壁部４４ｂと、蓋側壁部４４ｂから延設され、当該蓋側壁部４４ｂより幅が細くなった蓋先端部４４ｃと、当該蓋先端部４４ｃから延設され、蓋先端部４４ｃよりも幅が細くなりその先端に一対の傾斜辺を備えた差込部４４ｄとが設けられている。尚、底部４０と蓋基部４４ａとを合わせた形が用紙７とほぼ同じ形状になっている。
【００４０】
また、図８及び図９に示すように、底部４０の側壁部４１には、組み立て後に、底部４０に対向して用紙７を覆う第二部分としての矩形の第一外装部５０が延設されている。この第一外装部５０には、前記蓋部４４の差込部４４ｄが差し込まれる切り込みである第一スリット５１と、後述する第二外装部６０の差込部６１が差し込まれる切り込みである第二スリット５２とが形成されている。また、第一外装部５０の蓋基部４４ａ側の側端部には、用紙７の有無を検出する検出用切り欠きに相当する四角形の切り欠きである切欠部５３が設けられている。この切欠部５３を利用して、印刷装置１は、用紙７の有無を検出する。即ち、用紙パッケージ９は、図６に示す状態で、印刷装置１の用紙収容部６に装着されるが、印刷装置１には、切欠部５３に対向する位置に反射型光学センサ８０（図３及び図４参照）が設けられている。従って、用紙パッケージ９に用紙７が有るうちは、用紙７からの光の反射を反射型光学センサが検出し、用紙７が無くなると、反射型光学センサは、蓋体１０の裏面を構成する合成樹脂からの反射光を検出することになる。従って、用紙収容部６を構成する合成樹脂の色合いを光の反射率の低いものにしておけば、用紙の有無を容易に検出できる。
【００４１】
尚、図８に示すように、パッケージ材８の表側（外側）の底部４０の第一外装部５０側の端部にも用紙パッケージ９に収納されている用紙７の種類やサイズを示すセンサマーク４６を印刷する箇所が３箇所設けられている。このセンサマーク４６は、印刷装置１に設けられている反射型光学センサ（反射型光学センサ８０とは異なる図示外のセンサ）により読み取られるものである。例えば、センサマーク４６が印刷されていると「１」印刷さていないと「０」とすると、３個のセンサマーク４６有り無しの組合せにより用紙パッケージなし及び７種類の用紙７を識別することができる。また、底部４０には、折り返された蓋部４４の差込部４４ｄが差し込まれる第三スリット４５が設けられている。さらに、側壁部４１と第一外装部５０との間には、切欠部５３側から所定の長さで切り込まれた切込部５４が設けられている。この切込部５４は、用紙パッケージ９を用紙収容部６に装着した場合に、押圧板１８により第一外装部５０が押圧された場合に、第一外装部５０の撓みを容易にするためである。
【００４２】
さらに、図８及び図９に示すように、底部４０の側壁部４２には、組み立て後に、底部４０に対向して用紙７を覆う第一外装部５０を固定するための第二外装部６０が延設されている。この第二外装部６０は、第一外装部５０に比較して、狭い幅となっており、その側端部に差込部６１が形成されている。用紙パッケージ９の組み立て時に、この差込部６１は、第一外装部５０の第二スリット５２に挿入され、第一外装部５０を底部４０と対向する位置に固定するようになっている。
【００４３】
また、図８及び図９に示すように、底部４０の側壁部４３には、第六部分としての矩形の舌部７０が延設されている。また、この舌部７０の長手方向の両端部には、矩形の耳部７１及び耳部７２が各々延設されている。この耳部７１及び耳部７２が折り曲げられて、用紙パッケージ９内で用紙侵入阻止部材として機能する。尚、図８及び図９で、二点鎖線で示されているのは折り目加工が施されている部分であって、当該折り目で厚紙材を折り曲げ易くして組立て時の便宜を図っている。
【００４４】
次に、図１０乃至図１４を参照して、用紙パッケージ９を製造する工程を説明する。図１０乃至図１４は、用紙パッケージ９の製造工程を示す図である。まず、図１０に示すように、舌部７０の長手方向の両端部の耳部７１及び耳部７２を折り返すと共に、積層した用紙７を底部４０上に載置する。次いで、図１１に示すように、パッケージ材８の舌部７０を上方へ折り曲げる。次に、図１２に示すように、当該舌部７０の上方に重ねるようにして、第一外装部５０を折り曲げ、次いで、図１３に示すように、第一外装部５０上に第二外装部６０を折り曲げる。次いで、第二外装部６０の差込部６１を第一外装部５０の第二スリット５２に差し込む。
【００４５】
最後に、図１４に示すように、蓋部４４を第一外装部５０上へ折り曲げ、蓋部４４の差込部４４ｄを第一外装部５０の第一スリット５１に差し込んで、用紙パッケージ９が完成する。この状態で、用紙パッケージ９は販売されることになる。尚、この状態では、用紙パッケージ９内では、耳部７１及び耳部７２が弾性復帰しようとすることにより、積層した用紙７の表面を押圧している。
【００４６】
次に、図３、図５、図６、図７、図１５、図１６及び図１７を参照して、用紙パッケージ９の使用方法を説明する。図１５及び図１６は、用紙パッケージ９の使用時の開封動作を示す斜視図であり、図１７は、用紙パッケージ９の印刷装置１への装着動作を示す側面図である。まず、用紙パッケージ９の使用時には、図５に示す状態になっている用紙パッケージ９の蓋部４４を、図１５に示すように、起こし、次いで、図１６に示すＢ−Ｂ線で蓋部４４を裏側に折り返す。そして、図７に示すように、蓋部４４の蓋先端部４４ｃの差込部４４ｄを底部４０の第三スリット４５に差し込み、蓋部４４を底部４０に固定すると、図６に示すように、用紙パッケージ９は、用紙７の先端部分が露出した状態になる。この状態の用紙パッケージ９を図３に示すように、印刷装置１の用紙収容部６に収納する。そして、蓋体１０を閉じると、押圧板１８により、用紙パッケージ９の第一外装部５０が押圧され、積層された用紙７の最下層部のものが、ピックアップローラ１２に押圧される。
【００４７】
このときに、用紙パッケージ９の第一外装部５０に設けられた切欠部５３に、印刷装置１に設けられた反射型光学センサ８０が対向するようになっている（図３及び図４参照）。従って、用紙パッケージ９内に用紙７が存在する場合には、反射型光学センサ８０は、用紙７からの反射光を検出し、用紙７が存在しなくなると、蓋体１０の裏面を構成する合成樹脂からの反射光を検出することになる。
【００４８】
次に、図６、図１６〜図２２を参照して、本発明の要部である用紙侵入阻止部材（耳部７１及び耳部７２）の働きを説明する。図１８は、用紙パッケージ９の図１６に於けるＣ−Ｃ線での矢視方向断面図であり、図１９は、用紙７が使用され、枚数が少なくなった状態の図１６に於ける用紙パッケージ９のＣ−Ｃ線での矢視方向断面図である。また、図２０は、内部に用紙７が無くなった状態の図１６に於ける用紙パッケージ９のＣ−Ｃ線での矢視方向断面図であり、図２１は、用紙パッケージ９に用紙７を挿入する状態の斜視図であり、図２２は、用紙パッケージ９の開口部４９から用紙７を挿入した状態の用紙パッケージ９の縦断面である。
【００４９】
図６及び図１６に示すように、用紙パッケージ９の蓋部４４を折り返した状態のときに、用紙パッケージ９内では、図１８に示すように、舌部７０の両端部から折り返された耳部７１及び耳部７２が用紙パッケージ９内に収納された用紙７の表面を押圧している。耳部７１及び耳部７２の押圧力は、パッケージ材８の弾性により耳部７１及び耳部７２が弾性復帰しようとすることにより生じている。また、用紙パッケージ９内に収納された用紙の枚数が少ない場合でも、当該耳部７１及び耳部７２が弾性復帰して、図１９に示すように、用紙７の表面を押圧する。従って、用紙パッケージ９の蓋部４４が折り返された状態の時に、用紙パッケージ９から用紙７が落下することを防止できる。
【００５０】
また、使用者によって、用紙パッケージ９から用紙７が全部引き出されてしまった場合や、蓋部４４が折り返された状態で用紙パッケージ９の開口部を下方に向けて振った場合等には、用紙パッケージ９から用紙７が全部出て落下してしまうことがある。この場合には、図２０に示すように、耳部７１及び耳部７２が折り目においてパッケージ材８の弾性により弾性復帰して、底部４０に耳部７１及び耳部７２の先端が当接した状態になる。この状態で、図２１に示すように、用紙７を開口部４９から用紙パッケージ９に挿入すると、図２２に示すように、耳部７１及び耳部７２は、底部４０（第一部分）と第一外装部５０（第二部分）に挟まれる空間に位置し、耳部７１及び耳部７２の側端が用紙７の挿入方向の端部に当接して、用紙７の端部が側壁部４３に当接することができなくなる。従って、図２２に示すように、用紙７を完全に用紙パッケージ９の元の収納位置に戻すことができず、用紙７の一部が用紙パッケージ９からはみ出した状態になる。従って、落下した用紙７を開口部４９から用紙パッケージ９の正規の収納位置に戻すことができず、ゴミや埃が付着した用紙７が再使用されることを防止できる。
【００５１】
次に、図２３乃至図２４を参照して、用紙パッケージ９の第二の実施の形態について説明する。図２３は、第二の実施の形態の用紙パッケージ９のパッケージ材８の外側から見た展開図であり、図２４は、第二の実施の形態の用紙パッケージ９を組み立てる途中の状態を示す斜視図である。
【００５２】
図２３に示すように、第二の実施の形態の用紙パッケージ９のパッケージ材８は、殆どの形状は、第一の実施の形態のパッケージ材８と同じであるので、異なる部分のみ説明する。図２３に示すように、第二の実施の形態の用紙パッケージ９のパッケージ材８にも、矩形の舌部７０が設けられている。そして、当該舌部７０の長手方向の中間部分に折り返すと第一の実施の形態の耳部７１及び耳部７２と同様の機能を生じる矩形の耳部７３及び耳部７４が切れ目（直線）と折り目（２点鎖線）を付けて設けられている。この第二の実施の形態では、図２４に示すように、舌部７０を起こして折り曲げ、さらに、耳部７３，７４を各々折り曲げることにより、当該耳部７３及び耳部７４により、用紙７を押圧して、第一の実施の形態と同様の作用効果を奏することができる。
【００５３】
次に、図２５を参照して、用紙パッケージ９の第三の実施の形態について説明する。図２５は、第三の実施の形態の用紙パッケージ９のパッケージ材８の外側から見た展開図である。
【００５４】
図２５に示すように、第三の実施の形態の用紙パッケージ９のパッケージ材８は、殆どの形状は、第一の実施の形態のパッケージ材８と同じであるので、異なる部分のみ説明する。図２５に示すように、第三の実施の形態の用紙パッケージ９のパッケージ材８にも、矩形の舌部７０が設けられているが、耳部は、舌部７０には設けられていない。この第三の実施の形態では、矩形の耳部４７及び耳部４８は、底部４０に切れ目（直線）と折り目（２点鎖線）を付けて設けられている。従って、第一部分としての底部４０に用紙７を載置する前に、底部４０の耳部４７及び耳部４８を引き起こして折り曲げておき、その上に用紙７を載置することにより、当該耳部４７及び耳部４８が用紙７を押圧して、第一の実施の形態と同様の作用効果を奏することができる。
【００５５】
次に、図２６を参照して、用紙パッケージ９の第四の実施の形態について説明する。図２６は、第四の実施の形態の用紙パッケージ９のパッケージ材８の外側から見た展開図である。
【００５６】
図２６に示すように、第四の実施の形態の用紙パッケージ９のパッケージ材８は、殆どの形状は、第一の実施の形態のパッケージ材８と同じであるので、異なる部分のみ説明する。図２６に示すように、第四の実施の形態の用紙パッケージ９のパッケージ材８にも、矩形の舌部７０が設けられているが、耳部は、舌部７０には設けられていない。この第四の実施の形態では、矩形の耳部５７及び耳部５８は、第一部分としての第一外装部５０に切れ目（直線）と折り目（２点鎖線）を付けて設けられている。従って、底部４０に用紙７を載置して、その後、第一外装部５０を折り重ねる前に、耳部５７及び耳部５８を引き起こして折り曲げておき、第一外装部５０を折り重ねることにより、当該耳部５７及び耳部５８が用紙７を押圧して、第一の実施の形態と同様の作用効果を奏することができる。
【００５７】
次に、図２７を参照して、第五の実施の形態の用紙パッケージ９について説明する。図２７は、第五の実施の形態の用紙パッケージ９のパッケージ材８の内側から見た展開図である。この第五の実施の形態のパッケージ材８の形状は、図８に示す第一の実施の形態のパッケージ材８と同一形状であるが、異なる点は、底部４０と側壁部４１との境界４０１にミシン目が形成されている点と、底部４０と側壁部４２との境界４０２にもミシン目が形成されている点と、底部４０と側壁部４３との境界４０３にもミシン目が形成されている点である。
【００５８】
通常、パッケージ材８には、折り曲げる境界には、折り曲げたときに外側になる側の面から内側になる側の面に向かって半円筒状の型押しをする折り目加工が施される。これにより、境界を折り目として折り曲げやすくなる。そして、この型押しによる折り目加工が施された境界で折り曲げた場合、折り目の内側には折り目に沿って盛り上がった部分４１０（図３０参照）が形成される。底部４０と側壁部４１との境界４０１、底部４０と側壁部４２との境界４０２、底部４０と側壁部４３との境界４０３にも通常この半円筒状の型押しによる折り目加工が施されており、各境界で折り曲げた場合、各折り目の内側には折り目に沿って盛り上がった部分４１０（図３０参照）が形成される。それは、折り目の内側部分は折り曲げられる際に圧縮されるので、逃げ場を求めて隆起するためである。盛り上がり部分の内部では多少パッケージ材の繊維が解れ、他の部分に比べて繊維の密度が若干低くなっている。底部４０と境界４０１にできる盛り上がり部分４１０（図３０参照）とは隣接しており、その間には狭い隙間４１１が形成されている。その隙間４１１に用紙７が挟まってしまうことがある。底部４０と境界４０２にできる盛り上がり部分、底部４０と境界４０３にできる盛り上がり部分についても同様である。一度その隙間に用紙が挟まってしまうと、印刷装置１によって、挟まれた用紙を繰り出そうとしても繰り出せないことがある。尚、挟まる可能性のある用紙は、底部４０に面した最下層の用紙７だけである。用紙７が挟まれるためには、前述のように用紙７を挟むためのパッケージ材８のある面と、その面に隣接する盛り上がり部分とが必要であり、用紙７はその面に平行な状態で接触していると挟まれやすい。また、用紙７の端縁が直線状に連続する盛り上がり部分に平行に接触すると挟まれやすい。その点、本実施形態の用紙収容部６を上から見た大きさは、内部に収納する用紙７とほぼ同じであり、用紙７は各端縁を用紙収容部６の内側壁あるいはパッケージ材８の側壁によって規制されるため、用紙７の端縁が直線状に連続する盛り上がり部分に平行に接触することになりやすい。最下層の用紙７は、重力の影響と、用紙搬送方向上流側において耳部７１及び耳部７２とが用紙７を下向きに付勢する影響と、用紙搬送方向下流側において付勢バネ１９が用紙７を下向きに付勢する影響とによって、底部４０に押し付けられているため挟まれやすい。同じ最下層の用紙７であっても、下向きに付勢されている部分とそうでない部分とでは下向きに付勢されている部分の方が挟まれやすい傾向にある。
【００５９】
但し、用紙パッケージ９には、用紙収容部６に装着されるとき裏側に折り返される蓋基部４４ａがある。蓋基部４４ａの搬送方向長さは、用紙パッケージ９の搬送方向の長さにおける約３分の１の長さである。その分、底部４０は短く形成されていることと、側壁も底部４０のある部分にしかないので、用紙パッケージ９の搬送方向下流側の端部から、用紙パッケージ９の搬送方向の長さにおける約３分の１上流側までの部分には、下面にそもそも搬送方向に平行な折り目がなく、盛り上がり部分もない。付勢バネ１９は、用紙パッケージ９の搬送方向下流側端部において一番下向きに付勢する力が強く、上流側に向かう程弱くなるように構成されている。そのため、用紙搬送方向下流側において付勢バネ１９が用紙７を下向きに付勢することにより用紙７が挟まる虞は、用紙搬送方向上流側において耳部７１及び耳部７２とが用紙７を下向きに付勢することにより用紙７が挟まる虞よりも小さい。
【００６０】
この通常の折り目加工が施されたパッケージ材８を用いた用紙パッケージ９に対し、本実施形態の用紙パッケージでは、前述したように底部４０と側壁部４１との境界４０１、底部４０と側壁部４２との境界４０２、及び、底部４０と側壁部４３との境界４０３にミシン目が形成されている。一例として、図３１に示すように、ミシン目４１２により、底部４０に対して、側壁部４１が折り曲げ易くなると共に、ミシン目が施された境界で折り曲げた折り目にはその内側に盛り上がり部分は形成されない。また、同様にミシン目により、底部４０に対して、側壁部４２，４３が折り曲げ易くなると共に、ミシン目が施された境界で折り曲げた折り目にはその内側に盛り上がり部分は形成されない。そのため、通常の折り目加工が施された用紙パッケージ９とは異なり、底部４０に対向する最下層の用紙７が、底部４０と側壁部４１との境界、底部４０と側壁部４２との境界、底部４０と側壁部４３との境界に挟まることを防止できる。尚、この第五の実施の形態のパッケージ材８では、側壁部４１と第一外装部５０との境界４０４、側壁部４２と第二外装部６０との境界４０５、側壁部４３と舌部７０との境界４０６は、半円筒形状に型押しした通常の折り曲げ加工が成されている。
【００６１】
本実施形態の用紙パッケージ９では、ミシン目は用紙パッケージ９の下面にある底部４０と側壁部４１との境界４０１、底部４０と側壁部４２との境界４０２、及び、底部４０と側壁部４３との境界４０３に施されているが、耳部７１、７２に用紙７を挟んで対向する底部４０の境界であって、耳部７１及び耳部７２とが用紙７を下向きに付勢する影響が強い境界４０３だけに施すようにしてもよい。その際、さらに耳部７１、７２に用紙７を挟んで対向する底部４０の境界であって、境界４０３における耳部７１近傍及び耳部７２近傍である部分のみに施すようにしてもよい。また、ミシン目は、耳部７１に用紙７を挟んで対向する底部４０の境界４０２における耳部７１の近傍である境界４０２の搬送方向上流側端部と、耳部７２に用紙７を挟んで対向する底部４０の境界４０１における耳部７２の近傍である境界４０１の搬送方向上流側端部と、境界４０３とに施すようにしてもよい。
【００６２】
次に、図２８を参照して、第六の実施の形態の用紙パッケージ９について説明する。本実施の形態の用紙パッケージ９も第五の実施の形態の用紙パッケージ９と同様、底部４０に対向する最下層の用紙７が、底部４０と側壁部４１との境界、底部４０と側壁部４２との境界、底部４０と側壁部４３との境界に挟まることの防止を目的としている。図２８は、第六の実施の形態の用紙パッケージ９のパッケージ材８の内側から見た部分拡大図である。この第六の実施の形態のパッケージ材８の形状は、図８に示す第一の実施の形態のパッケージ材８と同一形状であるが、異なる点は、図２８に示すように、底部４０と側壁部４１との境界４０１を内側からパッケージ材８の厚みの半分程度の深さまで切り込んで折り曲げ易くする処理（以下「ハーフカット処理」という。）が成されている点と、同様に底部４０と側壁部４２との境界にもハーフカット処理が成されている点と、同様に底部４０と側壁部４３との境界にもハーフカット処理が成されている点である。ハーフカット処理により、底部４０に対して側壁部４１，４２，４３が折り曲げ易くなると共に、底部４０に対して側壁部４１，４２，４３の境界が密着して折り曲げられるので、底部４０に対向する最下層の用紙７が、底部４０と側壁部４１との境界、底部４０と側壁部４２との境界、底部４０と側壁部４３との境界に挟まることを防止できる。尚、この第六の実施の形態のパッケージ材８では、側壁部４１と第一外装部５０との境界、側壁部４２と第二外装部６０との境界、側壁部４３と舌部７０との境界は、半円筒形状に型押しした通常の折り曲げ加工が成されている。
【００６３】
次に、図２９を参照して、第七の実施の形態の用紙パッケージ９について説明する。本実施の形態の用紙パッケージ９も第五の実施の形態の用紙パッケージ９と同様、底部４０に対向する最下層の用紙７が、底部４０と側壁部４１との境界、底部４０と側壁部４２との境界、底部４０と側壁部４３との境界に挟まることの防止を目的としている。図２９は、第七の実施の形態の用紙パッケージ９のパッケージ材８の内側から見た部分拡大図である。この第七の実施の形態のパッケージ材８の形状は、図８に示す第一の実施の形態のパッケージ材８と同一形状であるが、異なる点は、図２９に示すように、底部４０と側壁部４１との境界４０１に貫通しない所定深さのピット状の窪みが一列に設けられている点と、同様に底部４０と側壁部４２との境界にもピット状の窪みが一列に設けられている点と、同様に底部４０と側壁部４３との境界にもピット状の窪みが一列に設けられている点である。このピット状の窪みによる折り曲げ加工処理により、底部４０に対して側壁部４１，４２，４３が折り曲げ易くなると共に、底部４０に対向する最下層の用紙７が、底部４０と側壁部４１との境界、底部４０と側壁部４２との境界、底部４０と側壁部４３との境界に挟まることを防止できる。尚、この第七の実施の形態のパッケージ材８では、側壁部４１と第一外装部５０との境界、側壁部４２と第二外装部６０との境界、側壁部４３と舌部７０との境界は、半円筒形状に型押しした通常の折り曲げ加工が成されている。尚、上記の「ミシン目」、「ハーフカット」及び「ピット状の窪み」が、「窪部」に相当する。
【００６４】
尚、本発明は、上記実施の形態に限られず、各種の変形が可能である。例えば、耳部は、左右一対でなく、１つでも良い。また、耳部の形状は、矩形に限られず、台形等の任意の形状でも良い。また、上記の実施の形態では、側壁部４２は、底部４０から延設されているが、側壁部４２は、第一外装部５０から延設され、側壁部４２に第二外装部６０が延設されるようにしても良い。また、上記の実施の形態では、側壁部４３は、底部４０から延設されているが、側壁部４３は、第一外装部５０から延設され、側壁部４３に舌部７０が延設されるようにしても良い。また、「ミシン目」、「ハーフカット」及び「ピット状の窪み」は、底部４０と側壁部４１との境界、底部４０と側壁部４２との境界、底部４０と側壁部４３との境界の全てに設ける必要は無く、用紙７が挟まり易い部分だけに設け、他の部分は、半円筒形状に型押しした通常の折り曲げ加工としても良い。用紙７が挟まり易い部分としては、印刷装置１の押圧板１８により押圧される第一外装部５０の前側に対向する底部４０と側壁部４１との境界、底部４０と側壁部４２との境界部分、耳部によって用紙が付勢される部分の近傍になる底部４０と何れかの側壁部との境界である。
【００６５】
また、上記実施の形態の印刷装置１は、本体ケース２の上カバー５と前記蓋体１０とがなす隙間から用紙７を排出するが、この隙間を塞がない限りは、側面を下にして立てても、上カバー５を下にして裏返しても使用可能である。その際、印刷装置１内部に装着されている用紙パッケージも立った状態であったり、裏返った状態であったりすることは言うまでもない。
【図面の簡単な説明】
【００６６】
【図１】印刷装置１の斜視図ある。
【図２】図１に示すＡ−Ａ線における矢視方向断面図である。
【図３】用紙収容部６に用紙パッケージ９をセットした状態を示した図である。
【図４】用紙分離部１１および印刷機構部１４の詳細を示した拡大断面図である。
【図５】用紙パッケージ９の斜視図ある。
【図６】蓋部４４を裏側に折り返した状態の用紙パッケージ９の斜視図である。
【図７】用紙パッケージ９の底面図である。
【図８】第一の実施の形態のパッケージ材８の外側から見た展開図である。
【図９】パッケージ材８の内側から見た展開状態の斜視図である。
【図１０】用紙パッケージ９を製造する工程を示す斜視図である。
【図１１】用紙パッケージ９を製造する工程を示す斜視図である。
【図１２】用紙パッケージ９を製造する工程を示す斜視図である。
【図１３】用紙パッケージ９を製造する工程を示す斜視図である。
【図１４】用紙パッケージ９を製造する工程を示す斜視図である。
【図１５】用紙パッケージ９の使用時の開封動作を示す斜視図である。
【図１６】用紙パッケージ９の使用時の開封動作を示す斜視図である。
【図１７】用紙パッケージ９の印刷装置１への装着動作を示す側面図である。
【図１８】用紙パッケージ９の図１６に於けるＣ−Ｃ線での矢視方向断面図である。
【図１９】用紙７が使用され、枚数が少なくなった状態の図１６に於ける用紙パッケージ９のＣ−Ｃ線での矢視方向断面図である。
【図２０】内部に用紙７が無くなった状態の図１６に於ける用紙パッケージ９のＣ−Ｃ線での矢視方向断面図である。
【図２１】用紙パッケージ９に用紙７を挿入する状態の斜視図である。
【図２２】用紙パッケージ９の開口部４９から用紙７を挿入した状態の用紙パッケージ９の縦断面である。
【図２３】第二の実施の形態の用紙パッケージ９のパッケージ材８の外側から見た展開図である。
【図２４】第二の実施の形態の用紙パッケージ９を組み立てる途中の状態を示す斜視図である。
【図２５】第三の実施の形態の用紙パッケージ９のパッケージ材８の外側から見た展開図である。
【図２６】第四の実施の形態の用紙パッケージ９のパッケージ材８の外側から見た展開図である。
【図２７】第五の実施の形態の用紙パッケージ９のパッケージ材８の内側から見た展開図である。
【図２８】第六の実施の形態の用紙パッケージ９のパッケージ材８の内側から見た部分拡大図である。
【図２９】第七の実施の形態の用紙パッケージ９のパッケージ材８の内側から見た部分拡大図である。
【図３０】従来の用紙パッケージ９の底部４０と側壁部４１との境界４０１近傍の折り曲げ加工部の縦断面の模式図である。
【図３１】第五実施の形態の用紙パッケージ９の底部４０と側壁部４１との境界４０１近傍の折り曲げ加工部の縦断面の模式図である。
【符号の説明】
【００６７】
１  印刷装置
２  本体ケース
６  用紙収容部
８  パッケージ材
９  用紙パッケージ
４０  底部（第一部分）
４１  側壁部（第三部分）
４２  側壁部（第四部分）
４３  側壁部（第五部分）
４４  蓋部
４４ａ  蓋基部
４４ｂ  蓋側壁部
４４ｃ  蓋先端部
４４ｄ  差込部
４４ｅ  切取部
４４ｆ  切取部
４５  第三スリット
４６  センサマーク
４７  耳部
４８  耳部
４９  開口部
５０  第一外装部（第二部分）
５１  第一スリット
５２  第二スリット
５３  切欠部
５４  切込部
６０  第二外装部
６１  差込部
７０  舌部（第六部分）
７１  耳部
７２  耳部
７３  耳部
７４  耳部
４０１  境界
４０２  境界
４０３  境界
４１２  ミシン目
【図１】
2008168947.tif 000003
【図２】
2008168947.tif 000004
【図３】
2008168947.tif 000005
【図４】
2008168947.tif 000006
【図５】
2008168947.tif 000007
【図６】
2008168947.tif 000008
【図７】
2008168947.tif 000009
【図８】
2008168947.tif 000010
【図９】
2008168947.tif 000011
【図１０】
2008168947.tif 000012
【図１１】
2008168947.tif 000013
【図１２】
2008168947.tif 000014
【図１３】
2008168947.tif 000015
【図１４】
2008168947.tif 000016
【図１５】
2008168947.tif 000017
【図１６】
2008168947.tif 000018
【図１７】
2008168947.tif 000019
【図１８】
2008168947.tif 000020
【図１９】
2008168947.tif 000021
【図２０】
2008168947.tif 000022
【図２１】
2008168947.tif 000023
【図２２】
2008168947.tif 000024
【図２３】
2008168947.tif 000025
【図２４】
2008168947.tif 000026
【図２５】
2008168947.tif 000027
【図２６】
2008168947.tif 000028
【図２７】
2008168947.tif 000029
【図２８】
2008168947.tif 000030
【図２９】
2008168947.tif 000031
【図３０】
2008168947.tif 000032
【図３１】
2008168947.tif 000033